(57)【要約】    第１シート〜第４シートが周縁部で縫合され、該縫合部は全周縁部にわたって外方に突出しない構造であり、粉末通過性の第２シートと第３シートの間に粉末化粧料が封入されてなり、第１シートと第２シートの間、及び／又は第３シートと第４シートの間に貫通孔を有する発泡シートが封入されてなり、上記粉末化粧料の通過量が第１シート側と第４側で異なる粉末化粧料の滲出量が異なり、化粧効率の優れた化粧用具。【選択図面】  図７【特許請求の範囲】
【請求項１】
第１シート〜第４シートの４枚の繊維シートが重なって周縁部で縫合され、該縫合部は全周縁部にわたって外方に突出しない構造であって、粉末通過性の第２シートと第３シートの間に粉末化粧料が封入され、第１シートと第２シートの間、及び／又は、第３シートと第４シートの間に粉末通過性の発泡シートが配置されてなり、上記粉末の外部への滲出が調節されてなる構造であることを特徴とする美容用具。
【請求項２】
前記発泡シートが、少なくとも１つ以上の貫通孔を有することを特徴とする請求項１に記載の美容用具。
【請求項３】
粉末の滲出が、前記発泡シートにより調節されるものであることを特徴とする請求項１又は２に記載の美容用具。
【請求項４】
粉末の滲出が、第１シートと第２シートの目開きの差、及び／又は、第３シートと第４シートの目開きの差により調節されるものであることを特徴とする請求項１〜３のいずれかに記載の美容用具。
【請求項５】
前記粉末の滲出量が、第１シート側と第４シート側で相異なることを特徴とする請求項１〜４のいずれかに記載の美容用具。
【請求項６】
第１シート側に配置した発泡シートと、第４シート側に配置した発泡シートが相異なることを特徴とする請求項１〜５のいずれかに記載の美容用具。
【請求項７】
第１シート側と第４シート側の使用感覚が相異なることを特徴とする請求項１〜６のいずれかに記載の美容用具。
【請求項８】
上記４枚の繊維シートが、外周縁より内側で、周方向の一部の開口部を残して縫製されてなり、該縫製体を内外反転させて、反転後に該開口部が縫合されてなることを特徴とする請求項１〜７のいずれかに記載の美容用具。
【請求項９】
上記粉末化粧料が、米糠、ベントナイト、カオリンから選ばれた少なくとも１種の成分を含有することを特徴とする請求項１〜８のいずれかに記載の美容用具。
【請求項１０】
上記美容用具が、皮膚洗浄用具、皮膚トリートメント用具、マッサージ用具、メーキャップ用具から選ばれるものであることを特徴とする請求項１〜９のいずれかに記載の美容用具。
【請求項１１】
上記美容用具を使用時に水と接触させた場合には、第１シート及び第４シートから水と粉末化粧料の混合成分が外部に滲出することを特徴とする請求項１〜１０のいずれかに記載の美容用具。
【発明の詳細な説明】
【技術分野】
【０００１】
本発明は、少なくとも４層構造からなるシートが積層されてなり、粉末化粧料を内蔵する使い勝手の良好な美容用具に関する。
さらに詳しくは、本発明は粉末化粧料を内包するシートと、その両外側面を形成するシートとの粉末通過性差、あるいは粉末通過性の発泡シートを用いて、粉末化粧料の滲出性が制御されてなる美容用具に関し、肌洗浄、肌トリートメント、マッサージ又はメーキャップ用として化粧室、洗面所又は風呂場等での使用に適する美容用具に関する。  
【背景技術】
【０００２】
美容用具として、従来、肌洗浄具、塗布具、マッサージ用具、化粧用具、パッドなど種々のものが使用されている。
美容用具の例として、皮膚洗浄具があるが、従来、顔、手、足、ボディを洗浄するには、フェイススポンジ、ボディクリーナーのような洗浄具を使用し、洗剤を別途使用するものであった。
また、パッド類は、粉末化粧料を肌面に広げたり、マッサージを行うために使用されている。さらに、クレンジング用としても使用されているが、布製のものは、ハンドリング性、コシ感、効率性の点で必ずしも使便性は良くなかった。【０００３】
汎用的な人体用清浄具は、特開平8-182633号公報（特許文献１）により周知である。この清浄具は、表面カバーと裏面カバーとが縁取り布で縁取られて袋体が形成されており、この空所中にポリウレタン製の発泡体が収納されているが、表面カバーとして、麻布、絹100％の平織、絹と麻の混紡布、絹と麻以外の繊維の混紡布などを用いることもでき、織りは平織でも他の織布でもよいし、裏面カバーは、細かい開口を多数有するメッシュ地であり、素材は格別特定されたものを用いる必要はない。しかし、この製品の欠点は、表カバーと裏カバーに縁取りしてあるので、製造上で時間と部品が増加する上に、使用に際しても、内部に必要な化粧料が入っていないので、外出先での使用に不便である。【０００４】
洗剤入りパフは、実用新案登録第3048155号（特許文献２）により周知である。この洗剤入りパフは、絹糸からなる２枚の絹織物布を縫着部の一部に洗剤充填口を設けて円形袋状に縫着した袋と、この布製の洗剤充填口から袋内へ充填される粉洗剤と、上記布袋に収納される円形状のスポンジ製の弾性変形部材とを備え、上記洗剤充填口は、粉洗剤及び弾性変形部材を充填後、縫着されるが、この製品は、化粧料の通過量が一定で調節が出来ないため使用性能が良くなかった。【０００５】
また、化粧用具としての入浴用マッサージやクリーナーも、例えば実開昭60-14791号公報（特許文献３）にあるように周知である。この製品は、片面をナイロン又は他の適宜の化学合成繊維よりなる縮織又は平織の織布、他面をナイロン又は他の適宜の化学合成繊維よりなる不織布とし、その中間にポリウレタンフォーム又は適宜の化学合成繊維を挟み、これらを縫合又は接着によって一体化したものであるが、粉末化粧料が入っていないので、使用性が劣る。【０００６】
さらに、表面材として布製のものに代えてフォーム体を複数枚重ねたパットも、例えばフォーム体を重ねた化粧用パットの基本的なものは、特開平9-220118号公報（特許文献４）にあるように周知である。ここに記載されたパットはフォームからなり実質的に同一のサイズ及び外形を有した二つのシートの鍔部同士を合わせて周縁の縫合された両シート間の空所に水溶性又は水乳性の化粧用、肌用又は薬学用の粉末成分が収納されており、両面のフォーム体から上記化粧用成分などを滲出させている。しかしながら、これらの製品は、縫合部が外側に直接的に面しているから、化粧料使用中に周囲の部分がほどけ易く、粉末成分の滲出量の調節機能が無く、化粧勝手がよくなく、使用感も良いとは言えなかった。また、周縁部を肌に当てる場合は、違和感を生じやすく、肌の弱い人にとっては、刺激により痛みを感じる場合があり、使用性の良いものではなかった。
上述したように、従来の美容用具で粉末状の化粧料や洗浄料を内蔵したタイプのものは、該粉末が必要量以上に漏出し易いこと、ましてや粉末の滲出性を表側と裏側とで相異なるように制御することは全く不可能であった。
さらには従来のものは単純な対象構造であるために、表側と裏側とで異なるハンドリング性、質感、コシ感、肌ざわり感、クッション性などの使用感覚を得ることは出来なかった。
種々の美容効果を求めたり、美容効果を増進させるといった、多様化した顧客ニーズに応えうる美容用具は存在していなかった。
【特許文献１】特開平8-182633号公報
【特許文献２】実用新案登録第3048155号公報
【特許文献３】実開昭60-14791号公報
【特許文献４】特開平9-220118号公報
【発明の開示】
【発明が解決しようとする課題】
【０００７】
上記状況に鑑み、本発明では、袋内から美容用具外部への粉末化粧料の供給量を適性量に制御しつつ、第１シート（表面）側と第４シート（裏面）側）とにおいて相異ならしめることで、使用効率の良い肌の洗浄、メーキャップ、肌トリートメント、マッサージができ、且つ使用感に優れた美容用具を提供することを課題とする。また、表側と裏側における粉末化粧料の滲出量あるいは供給量を制御しつつ、ハンドリング性、質感、コシ感、肌ざわり感、クッション性などの使用感、使用性能を表側と裏側とで相異ならせしめることで、多機能を具備する両面使用型の美容用具を提供しようとするものである。
さらには、製造工程は簡便な工程のみであるが、特定の粉末、特定の繊維シート材、発泡シートの開孔特性を制御することにより、多様な機能性を有する斬新な美容用具を提供することにより、多様化したニーズを有する消費者の求めに応える両面使用型の美容用具を提供しようとするものである。
【課題を解決するための手段】
【０００８】
本発明は、以下の構成を基本とする。
（１）第１シート〜第４シートの４枚の繊維シートが重なって周縁部で縫合され、該縫合部は全周縁部にわたって外方に突出しない構造であって、粉末通過性の第２シートと第３シートの間に粉末化粧料が封入され、第１シートと第２シートの間、及び／又は、第３シートと第４シートの間に粉末通過性の発泡シートが配置されてなり、上記粉末の外部への滲出が調節されてなる構造であることを特徴とする美容用具。
（２）前記発泡シートが、少なくとも１つ以上の貫通孔を有することを特徴とする上記（１）に記載の美容用具。
（３）粉末の滲出が、前記発泡シートにより調節されるものであることを特徴とする上記（１）又は（２）に記載の美容用具。
（４）粉末の滲出が、第１シートと第２シートの目開きの差、及び／又は、第３シートと第４シートの目開きの差により調節されるものであることを特徴とする上記（１）〜(３）のいずれかに記載の美容用具。
（５）前記粉末の滲出量が、第１シート側と第４シート側で相異なることを特徴とする上記（１）〜（４）のいずれかに記載の美容用具。
（６）第１シート側に配置した発泡シートと、第４シート側に配置した発泡シートが相異なることを特徴とする上記（１）〜（５）のいずれかに記載の美容用具。
（７）第１シート側と第４シート側の使用感覚が相異なることを特徴とする上記（１）〜（６）のいずれかに記載の美容用具。
（８）上記４枚の繊維シートが、外周縁より内側で、周方向の一部の開口部を残して縫製されてなり、該縫製体を内外反転させて、反転後に該開口部が縫合されてなることを特徴とする上記（１）〜（７）のいずれかに記載の美容用具。
（９）上記粉末化粧料が、米糠、ベントナイト、カオリンから選ばれた少なくとも１種の成分を含有することを特徴とする上記（１）〜（８）のいずれかに記載の美容用具。
（１０）上記美容用具が、肌洗浄用具、肌トリートメント用具、マッサージ用具、メーキャップ用具から選ばれるものであることを特徴とする上記（１）〜（９）のいずれかに記載の美容用具。
（１１）上記美容用具を使用時に水と接触させた場合には、第１シート及び第４シートから水と粉末化粧料の混合成分が外部に滲出することを特徴とする上記（１）〜（１０）のいずれかに記載の美容用具。
【発明の効果】
【０００９】
本発明の美容用具は、少なくとも４枚の繊維シートと、粉末化粧料と、粉末通過性発泡シートからなる積層構造を有する用具であり、粉末化粧料は、これを包み込む内側シートと、両外側のシート及び発泡シートとの関係によって、美容用具外部への粉末の滲出量、あるいは供給量が調節されており、好ましくは、表裏で相異する特長を有している。
外側シートとして、性状の異なる第一シートと第四シートを使い分けたり、粉末通過性の発泡シートを挿入することにより、肌に対して異なる感覚、例えば質感、触感、クッション感、コシ感を与えることができる。また、美容に有効な粉末化粧料の供給量、供出する粉末の粒度を表裏で変えることができる。例えば、使用時に粉末化粧料の通過量の多い粗目のメッシュ状不織布１と通過量の少ない細目のシルク不織布を適宜に使い分けすることにより、使い勝手がよく、使用性に優れた効果がある。このように一個の美容用具でありながら、両側面の使用感覚の異なる多機能の美容効果を与えることが可能であり、さらには美容効果を増進するのに効果がある。例えば、本発明の美容用具の片面をプレトリートメント用に使用し、他面を仕上げ用に使用することが出来、あるいは、片面を角質落とし用とし、他面を保湿トリートメント用にと使い分けることもできる。【００１０】
本発明の美容用具は、化粧用のパフ、塗布具としての使用の他に、皮膚洗浄用具、皮膚トリーメント用具、マッサージ用具、メーキャップ用具、パッティング用具などにも使用することにより同様の効果をあげることができる。
本発明の美容用具は、側面の周縁部が外方に突出しない構造であるので、側面を使用する場合でも、肌への違和感がなく肌触りがよく、多様な使用感を与え消費者を満足させることが出来る。
【図面の簡単な説明】
【００１１】
【図１】本発明の美容用具を形成する繊維シートの縫合前の積層断面図である。
【図２】図１の平面図である。
【図３】周囲を縫合（開口部を除く）した断面図である。
【図４】図３の平面図である。
【図５】内外を反転した断面図である。
【図６】図５の平面図である。
【図７】粉末化粧料と発泡シートを封入した完成品の断面図である。
【図８】図７の平面図である。
【図９】発泡シートの断面図の別例である。
【図１０】実施例１〜５のシート構成を示す図である。
【符号の説明】
【００１２】
１  第１シート
２  第２シート
３  第３シート
４  第４シート
５  粉末化粧料
６  発泡シート（粉末通過性）
７  貫通孔
９  縫合部
１０  縫合残し部
１１  開口部
１２  縫合された開口部
【発明を実施するための最良の形態】
【００１３】
本発明の美容用具の好ましい構成材について、以下に具体的に説明する。
本発明の第一から第四の繊維シートは、織物、編物、不織布などから選ばれるシートである。形状は特に限定されるものではなく、円形、楕円形、正方形、長方形、平行四辺形、台形、菱形など種々の幾何学的形状が可能である。
内側の第二シートと第三シートは、粉末化粧料を内包せしめるためのものであり、かつ、内部の粉末を外部に供給させることが可能であればよい。該シートは、粉末通過性を考慮し、目付１０〜３０ｇ／m2程度、厚みは０．１〜０．５ｍｍ程度が適当である。該第二シートと第三シートは同じシートであってもよく、異なるシートであってもよい。
素材は特に限定されるものではないが、ポリエステル、ポリアミド、ポリオレフィン、ポリアクリロニトリルなどの合成繊維や、レーヨンなどの再生繊維や、綿、コットン、麻、絹、ウールなどの天然繊維を好ましく使用することが出来る。【００１４】
次に、第一シートと、第四シートの繊維シートは、肌に直接接触するものであり、所定の肌ざわり感、払拭感を付与するものである。該第一シートと、第四シートとで、目開きの異なる、あるいは表面摩擦係数の異なるシート材を使用するなど、使用目的に応じてシート材を選定することが好ましい。例えば、第一シートとして粗い目のシートを、また第四シートとして細かい目のシートを使用することが出来る。
このようにすると、粗い目では皮膚の擦過効果が大きく、洗浄用具として使用する場合、皮膚洗浄効果が高まるし、マッサージ用具として使用する場合には、マッサージ効果を著しく高められ、細かい目のシートでは、ソフトな感触によりトリートメント効果を高めることが出来、さらに化粧の仕上げ効果をもたらすものである。
好ましい例として、第一シートに、粗いメッシュ状の繊維シートと、第四シートに、絹製のしなやかな細かい目の繊維シートを組み合わせると、角質性老廃物を除去し、かつ、ソフトな仕上げを行うことが可能となる。【００１５】
また、これらの外側シートと、第二シート、第三シートの内側シートとの重ね合わせによる絞り効果により、美容用具外部への粉末の滲出量あるいは供給量を必要な程度に制御することが可能となる。外側の第一シートと第四シートがないと、粉末化粧料が外部へ漏出し過ぎるので適当ではない。
該シートは、粉末滲出性を考慮し、目付１０〜１００ｇ／m2程度、厚みは０．３〜０．８ｍｍ程度が適当である。  
内側シートよりも、高目付、あるいは高密度であることが好ましい。好ましい嵩密度値は、０．０５ｇ／ｃｍ３〜０．２ｇ／ｃｍ３である。さらに好ましくは、０．０６ｇ／ｃｍ３〜０．１８ｇ／ｃｍ３である。
さらに、該第一シートと第四シートは同じシートであってもよく、異なるシートであってもよい。多機能性を求めるには、たとえば、粗目のシートと細目のシートとの組み合わせなど、相異なる性質のシートを組み合わせることが好ましい。ここでいう粗目のシートとして、目開きが０．５ｍｍ〜３ｍｍ程度、好ましくは０．７ｍｍ〜２ｍｍ程度、細目のシートとして、目開きが０．４ｍｍ〜０．００５ｍｍ程度、好ましくは０．５ｍｍ〜０．０１ｍｍ程度のものを例示できる。
第一シート側と第四シート側の目開きを相異なるようにすると、シートの目開き部から滲出する粉の量や粒度を相違させることが出来、異なる美容効果をもたらすことも可能である。粉末化粧料組成物中の第一成分は、主に第一シート側から、第二成分は、主に第四シート側から滲出させるようにすることもできる。
該第一シートと第四シートを形成する繊維素材は特に限定されるものではないが、ポリエステル、ポリアミド、ポリオレフィン、ポリアクリロニトリルなどの合成繊維や、レーヨンなどの再生繊維や、綿、コットン、麻、絹、ウールなどの天然繊維を好ましく使用することが出来る。天然繊維の場合、絹を使用すると肌触りが非常にソフトであり、絹に含有されるセリシンなどの美容成分が肌に擦り込まれるので、保湿効果を高める効果が大きい。【００１６】
次に、第１シートと第２シートの間、及び／又は、第３シートと第４シートの間に、粉末通過性の発泡シートを配置する。該発泡シートを配置する目的は、粉末化粧料の外部への通過量を絞り込み、ハンドリング性を向上するため、また、美容用具に質感、ボリューム感、肌に当てた感触、コシ、クッション性を付与するためである。
該発泡シートは、用具内部の粉末化粧料を通過でき、かつ量を絞れる性質を有し、質感、クッション性を付与するシート材であれば特段限定されるものではなく、素材としてエステル系ポリウレタン、エーテル系ポリウレタンなどのポリウレタン類、ＮＢＲ（ニトリルブタジエンゴム）、ＳＢＲ（スチレンブタジエンゴム）、ＣＲ（クロロプレンゴム）、ＮＲ（ニトリルゴム）などの合成ゴム類、天然ゴム類、ポリオレフィン類、セルロース類あるいはその誘導体など、任意素材の弾性を有する発泡シートを好ましく使用することが出来る。
かかる発泡シート材の厚みは、２ｍｍ程度から１０ｍｍ程度までが好ましい。さらに好ましくは、３ｍｍ程度から８ｍｍ程度までである。また、該発泡シート材の反撥弾性率（ＪＩＳ Ｋ−６４０１準拠）は、３０〜９０％程度のものや、５〜３０％程度の低反撥弾性のものを使用することが出来る。使用用途に応じて必要特性のものを選択することが出来る。
該発泡シートには、粉末化粧料を通過できるように、両面を連通する孔を形成する。連続気泡構造となるように発泡倍率を高めるなどの種々の発泡手段を採ることもできるし、シートの両面を貫通する機械的な穿孔、抜き孔を設けてもよい。材料選択の自由度、加工面を考慮すると機械的な貫通孔が好ましい。該貫通孔の位置は特段制限されるものではなく、1個のみを設けることもできるし、2個以上の孔を分散して設けることもできる。貫通孔は、発泡シート表面に対し垂直方向にストレートに設けることもできるし、斜行ないし蛇行するように設けることも可能である。
貫通孔の開口率（投影面積比率）は、５％〜５０％程度が好ましい。開口率が、５％を下回ると、粉末化粧料の通過性が低くなり過ぎ、逆に５０％を越えると、粉末の通過量を制御しにくくなる。さらに好ましくは、１０％〜４０％程度である。該貫通孔の平面的形状は、円形、楕円形、方形、台形、その他任意の幾何学的形状となるように成形することができる。貫通孔を設けることにより、粉末化粧料の滲出を絞り効果により、希望の個所とすることができる。【００１７】
該発泡シートは、第１シートと第２シートの間にのみ配置することも出来るし、逆に第３シートと第４シートの間に配置することも出来る。場合によっては、この両側に配置することも出来る。
このように配置した発泡シートは、反撥弾性を有するために、皮膚面に当接するときの弾性変形と、皮膚面から離したときの回復弾性によって、いわば、ポンピング機能によって粉末の外部への供給を促進する効果も有する。
このように、内側シートと外側シートと、発泡シートとの積層構成を採ることにより、単一の化粧料を内蔵させる場合であっても、第一シート側と第四シート側の粉末滲出量や、肌触り、擦過感、コシ感、ハンドリング感などの使用感覚を異なるように制御することができ、一個の美容用具でありながら、多機能性を追求することができる。また、この多機能性により、美容効果を相乗的に増進せしめることができるのである。【００１８】
次に、本発明で使用する粉末化粧料について説明する。
化粧品原料として使用が認められている各種の固形の美容用原料を配合することができる。かかる、美容成分の例として、各種粉末状の洗浄剤、細胞賦活剤、血行促進剤、保湿剤、エモリエント剤、角質剥離剤、滑剤、美白剤、増量剤、鉱物粒子、油性成分、ビタミン剤、経皮吸収促進剤、動植物由来物質、着色料、抗菌剤などを配合することが出来る。
上記の中で特に好ましく配合できる物質として、動植物由来物質として、米糠など、鉱物粒子としてベントナイト、カオリン、タルク、マイカなど、保湿剤として、キシリトール、エリスリトール、トレハロース、デキストリンなど、その他、グリシンまたはその誘導体、α―ヒドロキシ酸、又はβ―ヒドロキシ酸類、などを例示することが出来る。
皮膚洗浄用具の場合のように、水を含ませて使用する場合、水溶性の化粧料を配合することが好ましい。該粉末化粧料は、繊維シートの目開き、発泡シートの孔を通過できればよく、平均粒度、粒度分布は目的に応じて分級手段などにより任意に設計できる。【００１９】
本発明の美容用具は、乾燥状態で使用することも可能であるし、使用時に水と接触せしめて含水あるいは湿潤状態で使用することも出来る。
粉末化粧料は、水溶性でもよく、不溶性、難溶性であってもよい。いずれにせよ、水分が化粧料の外部への滲出を促進する効果を奏出する。【００２０】
本発明の美容用具の製造法について、皮膚洗浄用具の場合を例にとって、図１〜図８の製造工程図によって、詳細に説明する。
図１は、繊維シートの縫合前の積層断面図、図２は、図１の平面図、図３は、周囲を縫合した断面図、図４は、図３の平面図、図５は、図４の縫製袋の内外を反転した断面図、図６は、図５の平面図、図７は、粉末化粧料と発泡シートを挿入した美容用具の完成断面図、図８は、図７の平面図、図９は、発泡シートの断面図（別例）を示す。また、図１０は、実施例１〜４のシート構成である。【００２１】
先ず、図１に示すように不織布、織物又は編物を用いた４枚の繊維シート（１、２、３、４）を用いるが、４枚の繊維シートのうち、１は第１シートで、メッシュ状の不織布、第２シート及び第３シートは、２，３で示されるが、通常の合成繊維不織布で、４は第４シートで、微細目のシルク不織布である。
上側からみると、第２シート２、第１シート１，第４シート４，第３シート３を順次積層して、図３に示すように周方向の一部を残して縫製する。９は縫い糸である。（縫合線は、最外周よりも若干内側となっている）【００２２】
次に、縫残し部１０を反転用開口部１１として、袋を反転するように、内と外とを反転する。反転後の積層状態は、図５に示すように、第１シート１，第２シート２，第３シート３，第４シート４の順となる。
さらに、反転後の開口部１１から第２シートと第３シートの間に粉末化粧料を充填し、第３シートと第４シートの間に粉末通過性の発泡シートを挿入した後、該開口部１１を端部が内側になるようにして、縫合する。
上記工程では、複雑な工程を省略することができ、部品削減ができ、しかも得られた美容用具は、周縁端部が綺麗に縫合されているので、従来品のように使用中にほつれることがなく、縁布をつけないので、肌触りが良く、且つ使い勝手の良好な美容用具が得られる。
また、貫通孔を有する発泡シートを内蔵しており、ハンドリング性が良く、質感、ボリューム感、高級感に優れる。
表裏で非対称な構造であるため、違ったコシ感を与えるなど、一個の美容用具でありながら両面使用により使用効果を経済的に向上させる。
【実施例１】
【００２３】
＜皮膚洗浄用具＞
表１にシート構成を示すように第１シート１は、メッシュ状不織布からなり（旭化成  ベンリーゼC4751、組成：ＰＥＴ（ポリエチレンテレフタレート）（３０％）／キュプラレーヨン（７０％））、第２シート２はＰＰ（ポリプロピレン）不織布（目付18g/ m2）の粉末通過性のものを使用するので、第１シート１側は、粉末化粧料５の通過量が多くなっている。
第３シート３は、第２シート２と同様ＰＰ不織布（目付18g/m2）の粉末通過性のものである。第４シート４は、目開きの細かなシルク不織布（絹１００％、目付30ｇ/ m2）を使用するので、第４シート４側は、肌の手入れをきめ細かくできるようにしてある。
かかる四枚の繊維シートを、円形に切り出し後、図１のように積層して、周囲の一部を残して縫製し開口部を形成した。該開口部から袋状のシート体を反転した。【００２４】
第２シートと第３シートの間に、米糠、カオリンを含有する粉末化粧料を、さらに、第３シートと第４シートの間に貫通孔（孔径３０ｍｍφ、開口率２０％）を設けたエステル系ポリウレタン製弾性発泡シート（厚み５ｍｍ）を封入し、開口部を縫合することで封止し、本発明の美容用具（皮膚洗浄用具、外径７５ｍｍφ）を得た。
この用具を入浴時に温水に浸し、顔面の洗浄に供した。内蔵されていた化粧料の一部が表面に滲み出すのが認められた。第１シート側と第４シート側とで化粧料の滲出量は異なっていた。
まず、粗目の第１シート側で顔面を擦ることにより、皮脂や古い角質層などの老廃物を除去したところ、シートの凹凸による掻き取り作用と、シートの目開き部から優先的に滲出した化粧料との相乗作用によって洗浄性は著しく高かった。
今度は、細目の第４シート側で仕上げを行ったところ、第４シート側は、肌触りが極めてソフトであり、微細な米糠成分や絹含有成分の作用により、仕上げ後の肌の状態は、すべすべ、つるつるとしていて美容効果が極めて高かった。
このように、美容用具の両側で使用感覚が異なっており、斬新性により使用者に好評であった。
【実施例２】
【００２５】
＜メーキャップ用具＞
第１シートと第４シートとして、目開きの細かなシルク不織布（絹１００％、目付30ｇ/ m2）、第２シートと第３シートとして、粉末通過性のポリエステル不織布（目付２０g/ m2）を準備し、それぞれ円形に成形した。このシートを図１のように積層したのち、実施例１と同様に周囲の一部を残して袋縫いし、開口部から反転した。該開口部から、第２シートと第３シートの間に粉末化粧料として、タルク、マイカ、カオリン、着色料を含有するパウダリーファンデーションを封入した。
次いで、貫通孔（開口率１６％）を有するＮＢＲからなる弾性発泡シート（発泡倍率３．６倍、外径７０ｍｍφ×厚み４ｍｍ）を、第１シートと第２シートの間に、及び、貫通孔（開口率１６％）を有するＮＢＲ（ニトリルブタジエンゴム）からなる弾性発泡シート（発泡倍率５．１倍、外径７０ｍｍφ×厚み６ｍｍ）を、第３シートと第４シートの間に封入し、開口部を縫合し、メーキャップ用具を製造した。（両発泡シートの発泡倍率と厚みは、互いに相違する。）【００２６】
本メーキャップ用具では、第１シート側の発泡シートと、第４シート側の発泡シートの発泡倍率が異なっており、圧縮弾性の相違により、第１シートと第４シートからの粉末の透過量が異なるように調節できるようになっている。
しかも、両外側シートに共にシルク不織布を使用しているので、メーキャップ時に、肌触りが極めてソフトであり、シルクタッチを楽しむことが出来る。また、コシ感が表裏で異なるので顔面のように凹凸が顕著であっても、部位に応じて使い分けが容易になり、ファンデーションの塗り斑がなく、肌を綺麗に仕上げることができた。
また、貫通孔に近接する外側シートは、押圧すると凹部を生じるので肌を擦ることにより、皮脂などの肌汚れを有効に落すことが出来た。
このように、美容用具の両側で使用感覚が異なっており、斬新性により使用者に好評であった。
【実施例３】
【００２７】
＜皮膚トリートメント用具＞
第１シートとして、目開きの粗いメッシュ状不織布（旭化成  ベンリーゼC4751、組成：ＰＥＴ（３０％）／キュプラレーヨン（７０％））、第４シートとして、目開きの細かなシルク不織布（絹１００％、目付30ｇ/ m2）、第２シートと第３シートとして、粉末通過性のポリプロピレン製不織布（目付１７g/ m2）を準備し、それぞれ正方形（８ｃｍ×８ｃｍ）に成形した。このシートを図１のように積層したのち、周囲の一部を残して袋縫いし、開口部から反転した。該開口部から、第２シートと第３シートの間に粉末化粧料として、グリシンと、クエン酸と、保湿剤として、エリスリトールを配合した皮膚トリートメント用化粧料を封入した。
次いで、第１シートと第２シートの間に貫通孔１個（開口率１８％）のエステル系ポリウレタン製発泡シートを、第３シートと第４シートの間に貫通孔２個（開口率の合計が２４％）のポリエチレン製発泡シートを配置したのち、開口部を縫合し、皮膚トリートメント用具を得た。
かくして得られたトリートメント用具を、水に浸したのち、第１シート側で、顔と首筋の皮膚面に沿うように、こすると、シートによる物理的な擦過効果と溶解した化粧料との複合効果により、老化した角質層や、皮脂などの汚れを効率的に落すことができた。【００２８】
次に、第４シート側で同じ箇所をこすって、トリートメントすることにより、目開きの細かなシルク不織布を通じて、保湿成分を角質内部まで効率よく浸透させることが出来た。また、皮膚感触も非常にソフトであり、トリートメント効果に優れていた。
外側シート材の目開き、摩擦性能を相異ならしめることと、第１シート側の発泡シートと、第４シート側の発泡シートの材質と開口特性を異ならしめることで、トリートメント効果を顕著に高めることが出来た。
このように、美容用具の両側で使用感覚が異なっており、斬新性により使用者に好評であった。
【実施例４】
【００２９】
＜マッサージ用具＞
第１シートとして、目開きの粗いメッシュ状不織布（旭化成  ベンリーゼC4751、組成：ＰＥＴ（３０％）／キュプラレーヨン（７０％））、第４シートとして、目開きの細かなシルク不織布（絹１００％、目付30ｇ/ m2）、第２シートと第３シートとして、粉末通過性のポリプロピレン製不織布（目付１８g/ m2）を準備し、それぞれ正方形（８ｃｍ×８ｃｍ）に成形した。このシートを図１のように積層したのち、周囲の一部を残して袋縫いし、開口部から反転した。該開口部から、第２シートと第３シートの間に粉末化粧料として、スクラブ剤とカオリンを含有するマッサージ用化粧料を封入した。
次いで、第１シートと第２シートの間に貫通孔のないエステル系ポリウレタン製発泡シート（シートＡ）を、第３シートと第４シートの間に貫通孔１個（開口率１２％）のポリエチレン製発泡シート（シートＢ）を配置したのち、開口部を縫合し、マッサージ用具を得た。（シートＡとシートＢの反撥弾性率は異なっている。）【００３０】
まず、細かい目開きの第４シート側を皮膚面に当接して、中味の粉末化粧料を皮膚面に塗布した。目開きの細かいシートを使用し、かつ、開口率１２％の発泡シートにて粉末の供給量を制御しているために、カオリンを主とする微細粉末が少しずつ皮膚面に移行する。
次いで、反対側の粗い目開きの第１シート側で皮膚面を擦ったところスクラブ剤が優先的に皮膚面に供給された。
表側と裏側とを反転しながらマッサージ操作を反復することで、硬い発泡シートと柔らかい発泡シートによる皮膚刺激、粗目シートによる強い刺激と細か目シートによるソフトな刺激がサイクル的に負荷されるとともに、化粧料の生理的作用との相乗作用により、マッサージ効果が極めて高かった。
また、このマッサージ用具は、内部の化粧料が一気に逸失することがないので、長期間使用することが可能であった。
このように、美容用具の両側で使用感覚が異なっており、斬新性により使用者に好評であった。
【実施例５】
【００３１】
＜皮膚洗浄用具＞
実施例１同様、第１シート１は、メッシュ状不織布からなり（旭化成  ベンリーゼC4751、組成：ＰＥＴ（３０％）／キュプラレーヨン（７０％））、第２シート２は、ＰＰ不織布（目付18g/ m2）の粉末通過性のもの、第３シート３は、第２シート２と同様ＰＰ不織布（目付18g/ m2）の粉末通過性のものである。第４シート４は、目開きの細かなシルク不織布（絹１００％、目付30ｇ/ m2）を使用した。
かかる四枚の繊維シートを、円形に切り出し後、図１のように積層して、周囲の一部を残して縫製し開口部を形成した。該開口部から袋状のシート体を反転した。
第２シートと第３シートの間に、米糠、カオリンを含有する粉末化粧料を、さらに、第３シートと第４シートの間に高発泡倍率による連続気泡を有し、粉末通過性のＮＢＲ製弾性発泡シート（厚み５ｍｍ）を封入し、開口部を縫合することで封止し、本発明の美容用具（皮膚洗浄用具、外径７５ｍｍφ）を得た。【００３２】
この用具を入浴時に温水に浸し、顔面の洗浄に供した。内蔵されていた化粧料の一部が表面に滲み出すのが認められた。第１シート側と第４シート側とで化粧料の滲出量は異なっていた。
まず、粗目の第１シート側で顔面を擦ることにより、皮脂や古い角質層などの老廃物を除去したところ、シートの凹凸による掻き取り作用と、シートの目開き部から優先的に滲出した化粧料との相乗作用によって洗浄性は著しく高かった。
今度は、細目の第４シート側で仕上げを行ったところ、第４シート側は、肌触りが極めてソフトであり、微細な米糠成分や絹含有成分の作用により、仕上げ後の肌の状態は、すべすべ、つるつるとしていて美容効果が極めて高かった。
このように、美容用具の両側で使用感覚が異なっており、斬新性により使用者に好評であった。【００３３】
実施例１〜５の素材構成を表１に示し、層構成は図１０に示す。【００３４】
【表１】
2006095912.tif 000002
【００３５】
上記実施例に示したように、粉末化粧料が、好ましくは、米糠、ベントナイト、カオリンから選ばれる少なくとも１種の成分を含有するものであり、該成分を含有することにより、美肌効果に優れると共に、肌荒れ防止効果、老化防止効果があり肌を健康に保ち、肌洗浄、メーキャップ、トリートメント、マッサージ等に用いると最適であることがわかった。
【図１】
2006095912.tif 000003
【図２】
2006095912.tif 000004
【図３】
2006095912.tif 000005
【図４】
2006095912.tif 000006
【図５】
2006095912.tif 000007
【図６】
2006095912.tif 000008
【図７】
2006095912.tif 000009
【図８】
2006095912.tif 000010
【図９】
2006095912.tif 000011
【図１０】
2006095912.tif 000012
【国際調査報告】
2006095912.tif 000013
2006095912.tif 000014
2006095912.tif 000015
2006095912.tif 000016